(57)【要約】【課題】駆動対象の圧電変換部材の数に応じて液滴吐出特性が変化してしまうのを抑制し、安定して高い画像品質を得ることを課題とする。【解決手段】駆動対象の圧電変換部材２０１に対し、当該圧電変換部材における第１電極に所定の駆動波形をもつ波形電圧を供給するとともに、当該圧電変換部材における第２電極に一定の電圧値である第２バイアス電圧Ｖｂ２を供給することで、対応する加圧液室内にノズル孔から液滴を吐出させる圧力変化を生じさせる液滴吐出装置において、液滴を吐出させないノズル孔に対応した非駆動対象の圧電変換部材に対し、第１電極に前記波形電圧を供給するとともに、第２電極には、対応する加圧液室内にノズル孔から液滴を吐出させる圧力変化を生じさせない第１バイアス電圧Ｖｂ１を供給することで、当該非駆動対象の圧電変換部材に非駆動電圧信号を印加する。【選択図】図３
2015116673.tif 000002
【特許請求の範囲】
【請求項１】
液滴を吐出する複数のノズル孔と、
各ノズル孔が連通する複数の加圧液室と、
駆動電圧信号が印加されることで、対応する加圧液室内にノズル孔から液滴を吐出させる圧力変化を生じさせる複数の圧電変換部材と、
液滴を吐出させるノズル孔に対応した駆動対象の圧電変換部材に対し、当該圧電変換部材における第１電極に所定の駆動波形をもつ波形電圧を供給するとともに、第２電極に一定の電圧値である駆動用の固定電圧を供給することで、当該駆動対象の圧電変換部材に前記駆動電圧信号を印加する駆動電圧信号印加手段とを有する液滴吐出装置において、
前記駆動電圧信号印加手段は、液滴を吐出させないノズル孔に対応した非駆動対象の圧電変換部材のうちの少なくとも１つの非駆動対象の圧電変換部材に対し、前記第１電極に前記波形電圧を供給するとともに、前記第２電極には、対応する加圧液室内にノズル孔から液滴を吐出させる圧力変化を生じさせない非駆動用の電圧を供給することで、当該少なくとも１つの非駆動対象の圧電変換部材に非駆動電圧信号を印加することを特徴とする液滴吐出装置。
【請求項２】
請求項１の液滴吐出装置において、
前記非駆動用の電圧は、前記駆動用の固定電圧とは電圧値が異なる固定電圧であることを特徴とする液滴吐出装置。
【請求項３】
請求項２の液滴吐出装置において、
前記駆動電圧信号印加手段は、液滴吐出タイミングの間の非液滴吐出期間に、前記圧電変換部材の前記第２電極に印加される電圧を当該非駆動用の固定電圧から前記駆動用の固定電圧へ切り替えを行うものであり、
前記非駆動用の固定電圧は、対応する加圧液室内にノズル孔から液滴を吐出させる圧力変化を生じさせない電圧範囲内で前記駆動用の固定電圧に近い値に設定されていることを特徴とする液滴吐出装置。
【請求項４】
請求項１乃至３のいずれか１項に記載の液滴吐出装置において、
前記駆動電圧信号印加手段は、前記駆動用の固定電圧を発生させる駆動用電圧源と前記非駆動用の電圧を発生させる非駆動用電圧源を、前記複数の圧電変換部材それぞれの第２電極に対してスイッチング素子を介して接続し、各スイッチング素子を制御して、前記駆動対象の圧電変換部材には該駆動用電圧源からの駆動用の固定電圧を供給し、前記少なくとも１つの非駆動対象の圧電変換部材には該非駆動用電圧源からの非駆動用の電圧を供給することを特徴とする液滴吐出装置。
【請求項５】
請求項４の液滴吐出装置において、
前記駆動電圧信号印加手段は、前記駆動用電圧源と前記複数の圧電変換部材それぞれの第２電極との間を、互いに並列接続された複数のスイッチング素子によって接続し、前記圧電変換部材の前記第２電極に印加される電圧を前記非駆動用の電圧から前記駆動用の固定電圧へ切り替えるときは、当該圧電変換部材における該複数のスイッチング素子を順次オンにすることを特徴とする液滴吐出装置。
【請求項６】
液滴吐出装置から記録材へ液滴を吐出することで、該記録材に画像を形成する画像形成装置において、
前記液滴吐出装置として、請求項１乃至５のいずれか１項に記載の液滴吐出装置を用いることを特徴とする画像形成装置。
【請求項７】
液滴を吐出する複数のノズル孔と、各ノズル孔が連通する複数の加圧液室と、駆動電圧信号が印加されることで、対応する加圧液室内にノズル孔から液滴を吐出させる圧力変化を生じさせる複数の圧電変換部材と、液滴を吐出させるノズル孔に対応した駆動対象の圧電変換部材に対し、当該圧電変換部材における第１電極に所定の駆動波形をもつ波形電圧を供給するとともに、当該圧電変換部材における第２電極に一定の電圧値である駆動用の固定電圧を供給することで、当該駆動対象の圧電変換部材に前記駆動電圧信号を印加する駆動電圧信号印加手段とを有する液滴吐出装置の駆動制御方法において、
液滴を吐出させないノズル孔に対応した非駆動対象の圧電変換部材のうちの少なくとも１つの非駆動対象の圧電変換部材に対し、前記第１電極に前記波形電圧を供給するとともに、前記第２電極には、対応する加圧液室内にノズル孔から液滴を吐出させる圧力変化を生じさせない非駆動用の電圧を供給することで、当該少なくとも１つの非駆動対象の圧電変換部材に非駆動電圧信号を印加することを特徴とする液滴吐出装置の駆動制御方法。
【発明の詳細な説明】
【技術分野】
【０００１】
本発明は、ノズル孔から液滴を吐出する液滴吐出装置、この液滴吐出装置から液滴を記録材上に吐出して画像を形成する画像形成装置、この液滴吐出装置の駆動制御方法に関するものである。
【背景技術】
【０００２】
この種の液滴吐出装置は、例えば、複写機、プリンタ、ファクシミリ、プロッタ等の画像形成装置として用いられる。ここでいう画像形成装置は、記録材上に画像を形成するものであるが、その記録材の材質は紙に限定されるものではなく、糸、繊維、布帛、皮革、金属、プラスチック、ガラス、木材、セラミックス等のあらゆる記録材に液体を吐出して画像形成を行う装置を意味する。そして、画像形成とは、文字や図形等の意味を持つ画像を記録材に対して付与することだけでなく、パターン等の意味を持たない画像を記録材に付与する（単に液滴を吐出する）ことをも意味する。また、液滴として吐出される液体は、所謂インクに限るものではなく、吐出されるときに液体となるものであれば特に限定されるものではなく、例えばＤＮＡ試料、レジスト、パターン材料なども含まれる。
【０００３】
このような画像形成装置における液滴吐出装置の駆動方式では、近年、圧電素子等の圧電変換部材を用いた電気機械変換方式が主流になっている。電気機械変換方式の液滴吐出装置は、例えば、複数のノズル孔ごとに連通する複数の加圧液室の天井部分を構成する振動板を介して圧電素子の変形を各加圧液室内の圧力変化に変換させる。これにより、各加圧液室の底部分を構成するノズル板に設けられた各ノズル孔から液滴をそれぞれ吐出させる。一般に、各圧電素子の第２電極（以下「固定電圧電極」という。）に対して一定の電圧値である固定電圧（アース電圧を含む。）が一様に供給された状態で、所定の駆動波形で電圧値が変動する波形電圧を、液滴を吐出させるノズル孔に対応した圧電素子の第１電極（以下「駆動電圧電極」という。）に対して選択的に供給することで、圧電素子に駆動電圧信号を選択的に印加して、所望のノズル孔から液滴を吐出させる。
【０００４】
特許文献１には、各圧電素子の第２電極である固定電圧電極に対して一様に供給されるバイアス電圧（固定電圧）の電圧値を、各圧電素子の特性ばらつきや各加圧液室の製造ばらつき等により生じるノズル間のインク吐出特性の特性差の大きさに応じて設定する液滴吐出装置が開示されている。この液滴吐出装置では、バイアス電圧の電圧値を高めに設定すると各ノズルのインク吐出特性は向上するもののノズル間の特性差が大きくなることに鑑み、バイアス電圧の電圧値を下げる方向へシフトさせることで、ノズル間のインク吐出特性の特性差を抑制している。
【発明の概要】
【発明が解決しようとする課題】
【０００５】
前述の波形電圧は、駆動波形生成回路から、フレキシブルフラットケーブルやフレキシブルプリント基板などの波形電圧伝送部材を経由して、各圧電変換部材の駆動電圧電極に供給される。このような波形電圧伝送部材は、通常、電流の変化が誘導起電力となって現れるインダクタンス成分Ｌを含んでおり、インダクタンス成分Ｌと単位時間あたりの電流ｉの変化率（ｄｉ／ｄｔ）との積で表される逆起電力ΔＥ（＝Ｌ×（ｄｉ／ｄｔ））が発生する。波形電圧伝送部材の長さ（配線長・経路長）が増加することによりインダクタンス成分Ｌが大きくなると、その波形電圧伝送部材により伝送される波形電圧に逆起電力ΔＥがノイズとして無視できなくなるほど大きくなり、波形に歪みが生じる。
【０００６】
波形電圧伝送部材のインダクタンス成分Ｌによるノイズは、一般に、オーバーシュートやアンダーシュートと呼ばれる。仮にインダクタンス成分Ｌにより生じる逆起電力ΔＥが常に同じであれば、オーバーシュートやアンダーシュートによる波形の歪みは一定である。この場合、その波形の歪みが生じることを前提にして、その波形の歪みが生じたときの波形電圧が所望の波形となるように予め歪んだ波形をもつ波形電圧を駆動波形生成回路で生成すれば、圧電変換部材に印加される波形電圧にオーバーシュートやアンダーシュートによる波形の歪みが生じるのを抑制できる。
【０００７】
しかしながら、インダクタンス成分Ｌにより生じる逆起電力ΔＥは、上述したとおり、波形電圧伝送部材を流れる電流ｉの変化率（ｄｉ／ｄｔ）によって変化する。波形電圧伝送部材を流れる電流量は、同時に液滴を吐出させるノズル孔の数、言い換えると、波形電圧が印加される駆動対象の圧電変換部材の数によって変化する。波形電圧伝送部材を流れる電流量が変わると、波形電圧伝送部材によって伝送される波形電圧の電圧値変化によって生じる電流変化率（ｄｉ／ｄｔ）も変わってくる。したがって、波形電圧伝送部材のインダクタンス成分Ｌに起因した波形の歪みは、駆動対象の圧電変換部材の数によって変動する。具体的には、駆動対象の圧電変換部材の数が少ないときは波形の歪みが小さく、駆動対象の圧電変換部材の数が多いときは波形の歪みが大きくなる。
【０００８】
このように駆動対象の圧電変換部材の数によって波形の歪みが異なることから、波形の歪みが生じることを前提に予め歪んだ波形電圧を生成するといった対応では、圧電変換部材に印加される波形電圧の波形の歪みを抑制することはできない。また、波形電圧に生じる波形の歪みが駆動対象の圧電変換部材の数によらず一定であれば、このような歪んだ波形をもつ波形電圧による液滴吐出特性が駆動対象の圧電変換部材の数によらず一定となるので、画像品質を低下させない他の対応をとることも可能である。いずれにしても、駆動対象の圧電変換部材の数に応じて波形電圧に生じる波形の歪みが変化すると、これにより液滴吐出特性が駆動対象の圧電変換部材の数に応じて変わってしまう。これでは、安定して高い画像品質を得ることは困難である。
【０００９】
なお、液滴吐出特性が駆動対象の圧電変換部材の数に応じて変わってしまうという課題は、画像形成装置以外の用語に用いる液滴吐出装置でも生じ得る。
【００１０】
本発明は、以上の背景に鑑みなされたものであり、その目的とするところは、駆動対象の圧電変換部材の数に応じて液滴吐出特性が変化してしまうのを抑制することが可能な液滴吐出装置を提供することである。
【課題を解決するための手段】
【００１１】
前記目的を達成するために、本発明は、液滴を吐出する複数のノズル孔と、各ノズル孔が連通する複数の加圧液室と、駆動電圧信号が印加されることで、対応する加圧液室内にノズル孔から液滴を吐出させる圧力変化を生じさせる複数の圧電変換部材と、液滴を吐出させるノズル孔に対応した駆動対象の圧電変換部材に対し、当該圧電変換部材における第１電極に所定の駆動波形をもつ波形電圧を供給するとともに、当該圧電変換部材における第２電極に一定の電圧値である駆動用の固定電圧を供給することで、当該駆動対象の圧電変換部材に前記駆動電圧信号を印加する駆動電圧信号印加手段とを有する液滴吐出装置において、前記駆動電圧信号印加手段は、液滴を吐出させないノズル孔に対応した非駆動対象の圧電変換部材のうちの少なくとも１つの非駆動対象の圧電変換部材に対し、前記第１電極に前記波形電圧を供給するとともに、前記第２電極には、対応する加圧液室内にノズル孔から液滴を吐出させる圧力変化を生じさせない非駆動用の電圧を供給することで、当該少なくとも１つの非駆動対象の圧電変換部材に非駆動電圧信号を印加することを特徴とする。
【発明の効果】
【００１２】
本発明によれば、駆動対象の圧電変換部材の数に応じて液滴吐出特性が変化してしまうのを抑制することが可能となるという優れた効果が得られる。
【図面の簡単な説明】
【００１３】
【図１】実施形態のインクジェット記録装置の構成を示す斜視図である。
【図２】同インクジェット記録装置の機構部の側面図である。
【図３】同インクジェット記録装置における液滴吐出ヘッドの駆動回路の一例を示す模式図である。
【図４】同駆動回路における圧電素子の駆動電圧電極に供給される波形電圧と、圧電素子の固定電圧電極に供給される第１バイアス波形電圧及び第２バイアス波形電圧とを示すグラフである。
【図５】実施形態における圧電素子の端子間電圧（電極間電圧）と、圧電素子の変位量との関係を示すグラフである。
【図６】インクを吐出していないノズル孔から次のインク吐出期間にインクを吐出させるように切り替えるときのバイアス電圧切り替えタイミングを示すグラフである。
【図７】変形例における駆動回路の一例を示す模式図である。
【図８】変形例において、インクを吐出していないノズル孔から次のインク吐出期間にインクを吐出させるように切り替えるときのバイアス電圧切り替えタイミングを示すグラフである。
【図９】従来の液滴吐出ヘッドの駆動回路の一例を示す模式図である。
【図１０】駆動波形生成回路で生成される波形電圧の波形の一例を示すグラフである。
【図１１】同波形電圧に生じる歪みの様子を説明するためのグラフである。
【発明を実施するための形態】
【００１４】
はじめに、本発明に係る液滴吐出装置である液滴吐出ヘッドの一例であるインクジェット記録ヘッドを搭載した画像形成装置としてのインクジェット記録装置の構成について、図面を参照して説明する。
図１は、本実施形態のインクジェット記録装置の構成を示す斜視図である。図２は本実施形態のインクジェット記録装置の機構部の側面図である。
図１及び図２に示すインクジェット記録装置１００は、装置本体の内部に主走査方向に移動可能なキャリッジ１０１を備えている。このキャリッジ１０１に搭載した液滴吐出ヘッド１及び液滴吐出ヘッド１に対してインクを供給するインクカートリッジ１０２等で構成される印字機構部１０３等を収納している。
【００１５】
装置本体の下方部には、前方側から多数枚の記録材３０を積載可能な給紙カセット（或いは給紙トレイでもよい）１０４が抜き差し自在に装着されている。また、記録材３０を手差しで給紙するために開かれる手差しトレイ１０５も有している。給紙カセット１０４あるいは手差しトレイ１０５から給送される記録材３０は、印字機構部１０３によって所要の画像を記録した後、後面側に装着された排紙トレイ１０６に排紙される。なお、記録材３０は、紙、糸、繊維、布帛、皮革、金属、プラスチック、ガラス、木材、セラミックス等の材質の媒体を含むものとする。
【００１６】
印字機構部１０３は、図示しない左右の側板に横架したガイド部材である主ガイドロッド１０７と従ガイドロッド１０８とでキャリッジ１０１を主走査方向に摺動自在に保持している。このキャリッジ１０１には、複数のインク吐出口（ノズル孔）が主走査方向と直交する副走査方向に配列され、液滴吐出方向が下方に向くように、イエロー（Ｙ）、シアン（Ｃ）、マゼンタ（Ｍ）、ブラック（Ｂｋ）の各色のインク滴（液滴）を吐出する液滴吐出ヘッド１が装着されている。また、キャリッジ１０１には、液滴吐出ヘッド１に各色のインクを供給するための各インクカートリッジ１０２を交換可能に装着している。
【００１７】
インクカートリッジ１０２は、上方に大気と連通する大気口、下方には液滴吐出ヘッド１へインクを供給する供給口が設けられている。内部にはインクが充填された多孔質体を有しており、多孔質体の毛管力により液滴吐出ヘッド１へ供給されるインクをわずかな負圧に維持している。また、液滴吐出ヘッド１としては、色ごとに異なる液滴吐出ヘッドを用いているが、各色のインク滴を吐出するノズルを有する１個の液滴吐出ヘッドでもよい。
【００１８】
キャリッジ１０１は、後方側（用紙搬送方向下流側）を主ガイドロッド１０７に摺動自在に嵌装し、前方側（用紙搬送方向上流側）を従ガイドロッド１０８に摺動自在に載置している。そして、このキャリッジ１０１を主走査方向に移動走査するため、主走査モータ１０９ａで回転駆動される駆動プーリ１１０と従動プーリ１１１との間にタイミングベルト１１２を張装している。このタイミングベルト１１２をキャリッジ１０１に固定し、主走査モータ１０９ａの正逆回転によりキャリッジ１０１が往復に走査される。
【００１９】
また、本インクジェット記録装置１００は、給紙カセット１０４から記録材３０を分離給装する給紙ローラ１１３及びフリクションパッド１１４、記録材３０を案内するガイド部材１１５、給紙された記録材３０を反転させて搬送する搬送ローラ１１６なども備えている。更に、この搬送ローラ１１６の周面に押し付けられる搬送コロ１１７及び搬送ローラ１１６からの記録材３０の送り出し角度を規定する先端コロ１１８も有している。搬送ローラ１１６は副走査モータ１０９ｂによってギヤ列を介して回転駆動される。
【００２０】
また、キャリッジ１０１の主走査方向の移動範囲に対応して搬送ローラ１１６から送り出された記録材３０を液滴吐出ヘッド１の下方側で案内するため、用紙ガイド部材である印写受け部材１１９も有している。この印写受け部材１１９の用紙搬送方向下流側には、記録材３０を排紙方向へ送り出すために回転駆動される搬送コロ１２０と拍車１２１を設け、さらに記録材３０を排紙トレイ１０６に送り出す排紙ローラ１２３と拍車１２４と、排紙経路を形成するガイド部材１２５、１２６とを配設している。
【００２１】
インクジェット記録装置１００で記録する際、キャリッジ１０１を移動させながら、画像信号に応じて液滴吐出ヘッド１を駆動することにより、停止している記録材３０にインクを吐出して１行分を記録し、その後、記録材３０を所定量搬送後、次の行の記録を行う。記録終了信号または記録材３０の後端が記録領域に到達した信号を受けることにより、記録動作を終了させ、記録材３０を排紙する。
【００２２】
また、キャリッジ１０１の移動方向一端側の記録領域を外れた位置には、液滴吐出ヘッド１の吐出不良を回復するための回復装置１２７を配置している。回復装置１２７はそれぞれ図示していないキャップ手段と吸引手段とクリーニング手段を有している。キャリッジ１０１は、印字待機中には回復装置１２７側に移動されてキャッピング手段で液滴吐出ヘッド１をキャッピングして吐出口部の湿潤状態を保つことによりインクの乾燥による吐出不良を防止する。また、記録途中などに記録と関係しないインクを吐出することにより、全ての吐出口のインクの粘度を一定にし、安定した吐出性能を維持する。
【００２３】
更に、吐出不良が発生した場合等には、キャッピング手段で液滴吐出ヘッド１の吐出口（ノズル孔）を密封し、チューブを通して吸引手段で吐出口からインクとともに気泡等を吸い出す。これにより、吐出口面に付着したインクやゴミ等はクリーニング手段により除去され、吐出不良が回復される。また、吸引されたインクは、本体下部に設置された廃インク溜（不図示）に排出され、廃インク溜内部のインク吸収体に吸収保持される。
【００２４】
ここで、従来の一般的な液滴吐出ヘッドの駆動回路について説明する。
図９は、液滴吐出ヘッドの駆動回路の一例を示す模式図である。
図９に示す駆動回路は、圧電変換部材としての圧電素子２０１の端子間電圧を変化させ、圧電素子の変位量を変えることにより、液滴吐出ヘッド１の加圧液室に圧力変化を発生させ、その加圧液室に連通したノズル孔から液滴としてのインクを吐出させる。圧電素子２０１の一方の電極（駆動電圧電極）には、アナログスイッチＳＷ３を介して、駆動電圧源から所定の駆動波形をもつ波形電圧を生成して出力する駆動波形生成回路２０２に接続されている。また、圧電素子２０１の他方の電極（固定電圧電極）には、一定の電圧値（直流電圧）を出力するバイアス電圧電源２０７が常時接続されている。
【００２５】
波形選択制御回路２０３は、インクを吐出させるノズル孔に対応する駆動対象の圧電素子２０１に接続されたアナログスイッチＳＷ３をオンにし、液滴を吐出させないノズル孔に対応する非駆動対象の圧電素子２０１に接続されたアナログスイッチＳＷ３をオフにする制御を行う。従来の駆動回路においては、アナログスイッチＳＷ３及びこれをオン／オフ制御する波形選択制御回路２０３等によって、圧電素子２０１に対して駆動電圧信号を選択的に印加して、所望のノズル孔からインクを吐出させる。なお、印加される電圧に応じて加圧液室の圧力を変化させることができるものであれば、圧電素子２０１を用いたものではなく、他の圧電変換部材を用いてもよい。
【００２６】
駆動波形生成回路２０２からは、例えば図１０に示すような駆動波形をもつ波形電圧が出力され、オン状態のアナログスイッチＳＷ３を介して駆動対象の圧電素子２０１の一方の電極（駆動電圧電極）に供給される。この波形電圧は、最大値がＶ１で、最小値がＶ０である駆動波形が規定の周期で繰り返される信号である。ところが、駆動波形生成回路２０２から出力される波形電圧は、フレキシブルフラットケーブルやフレキシブルプリント基板などの波形電圧伝送部材を経由して、駆動対象の圧電素子２０１の駆動電圧電極に供給される。このとき、波形電圧伝送部材のインダクタンス成分Ｌ及び波形電圧伝送部材を流れる電流ｉの変化率（ｄｉ／ｄｔ）に応じて発生する逆起電力ΔＥ（＝Ｌ×（ｄｉ／ｄｔ））が大きいと、図１１に示すように、当該波形電圧伝送部材により伝送される波形電圧の波形に歪みＡが生じる。
【００２７】
駆動対象の圧電素子２０１の数が変わって波形電圧伝送部材を流れる電流ｉの量が変化すると、この波形の歪みも変化するので、波形電圧に生じる波形の歪みは駆動対象の圧電素子２０１の数によって変わってくる。そのため、一定の歪みが生じることを前提にその歪みがなくなるように予め歪ませた波形電圧を駆動波形生成回路２０２に生成させるといった対応や、一定の歪みが生じる波形電圧によるインク吐出特性を前提として所望の画像品質を得るための対応では、高い画像品質を安定して得ることはできない。
【００２８】
次に、本実施形態における液滴吐出ヘッドの駆動回路について説明する。
図３は、液滴吐出ヘッドの駆動回路の一例を示す模式図である。
本実施形態の駆動回路では、圧電素子２０１の駆動電圧電極に対しては、アナログスイッチＳＷ３を介さずに、駆動波形生成回路２０２が常時続されている。すなわち、本実施形態においては、駆動波形生成回路２０２から出力される波形電圧が、常に、すべての圧電素子２０１の駆動電圧電極に供給される構成となっている。そのため、駆動対象の圧電素子２０１の数が変わっても、駆動波形生成回路２０２の負荷はほぼ一定に維持され、波形電圧伝送部材を流れる電流量の変化が抑制される。その結果、駆動対象の圧電素子２０１の数が変わっても、波形電圧に生じる波形の歪みは、例えば図１１に示すような波形でほぼ一定となる。本実施形態では、当該一定の歪みがなくなるように予め歪ませた波形電圧を駆動波形生成回路２０２を生成するのではなく、当該一定の歪みが生じている駆動波形をもった波形電圧による液滴吐出特性を前提として高い画像品質が得られるように設計されている。
【００２９】
次に、本実施形態の駆動回路において、すべての圧電素子２０１に対して波形電圧を供給した状態で、駆動対象の圧電素子２０１に対応するノズル孔からはインクを吐出させ、非駆動対象の圧電素子２０１に対応するノズル孔からはインクを吐出させないための構成及び制御について説明する。
【００３０】
本実施形態において、圧電素子２０１の他方の電極（固定電圧電極）には、図３に示すように、アナログスイッチＳＷ１，ＳＷ２を介して、一定の電圧値（直流電圧）を出力する非駆動用電圧源としての第１バイアス電圧電源２０４及び駆動用電圧源としての第２バイアス電圧電源２０５が接続されている。本実施形態では、第１バイアス電圧電源２０４が出力する非駆動用の電圧としての第１バイアス電圧Ｖｂ１と、第２バイアス電圧電源２０５が出力する駆動用の固定電圧としての第２バイアス電圧Ｖｂ２との関係は、Ｖｂ１＜Ｖｂ２となるように設定されている。バイアス電圧選択制御回路２０６は、駆動対象の圧電素子２０１については、アナログスイッチＳＷ１をオフ、アナログスイッチＳＷ２をオンにし、非駆動対象の圧電素子２０１については、アナログスイッチＳＷ１をオン、アナログスイッチＳＷ２をオフにするように、各アナログスイッチＳＷ１，ＳＷ２のオン／オフ制御を行う。
【００３１】
図４は、圧電素子２０１の駆動電圧電極に供給される波形電圧と、圧電素子２０１の固定電圧電極に供給される第１バイアス波形電圧Ｖｂ１及び第２バイアス波形電圧Ｖｂ２とを示すグラフである。
非駆動対象の圧電素子２０１の固定電圧電極には、第１バイアス電圧Ｖｂ１が印加されるので、この圧電素子２０１の端子間には、図４に示した波形電圧の電圧値を全体的に第１バイアス電圧Ｖｂ１だけ下げた電圧信号（非駆動電圧信号）が印加されることになる。すなわち、この非駆動電圧信号は、駆動波形生成回路２０２から出力される波形電圧の波形と同じ波形をもち、最大値がＶ１−Ｖｂ１で、最小値がＶ０−Ｖｂ１である信号である。
【００３２】
一方、駆動対象の圧電素子２０１の固定電圧電極には、第２バイアス電圧Ｖｂ２が印加されるので、この圧電素子２０１の端子間には、図４に示した波形電圧の電圧値を全体的に第２バイアス電圧Ｖｂ２だけ下げた駆動電圧信号が印加されることになる。すなわち、この駆動電圧信号は、駆動波形生成回路２０２から出力される波形電圧の波形と同じ波形をもち、最大値がＶ１−Ｖｂ２で、最小値がＶ０−Ｖｂ２である信号である。
【００３３】
インクジェット記録装置１００の画像形成動作を制御する本体側制御部は、入力される画像データに基づき、予め決められたインク吐出タイミングが到来するたびに、液滴を吐出させるべきノズル孔を特定し、その情報（駆動ノズル情報）をバイアス電圧選択制御回路２０６に送る。そして、バイアス電圧選択制御回路２０６は、本体側制御部から送られてくる駆動ノズル情報に従って、各圧電素子２０１のアナログスイッチＳＷ１に対し、駆動するノズルに対応した圧電素子２０１についてはオフ状態とし、駆動しないノズルに対応した圧電素子２０１についてはオン状態とする制御を実行する。また、バイアス電圧選択制御回路２０６は、本体側制御部から送られてくる駆動ノズル情報に従って、各圧電素子２０１のアナログスイッチＳＷ２に対し、駆動するノズルに対応した圧電素子２０１についてはオン状態とし、駆動しないノズルに対応した圧電素子２０１についてはオフ状態とする制御を実行する。
【００３４】
図５は、本実施形態における圧電素子２０１の端子間電圧（電極間電圧）と、圧電素子２０１の変位量との関係を示すグラフである。
このグラフに示すように、圧電素子２０１は、その端子間電圧と圧電素子２０１の変位量との関係が非線形の関係となっている。ここで、圧電素子２０１の変位量は、加圧液室に生じさせる圧力と相関関係があるパラメータである。よって、圧電素子２０１は、その端子間電圧と加圧液室に生じさせる圧力との関係も非線形の関係である。
【００３５】
このような圧電素子２０１に対して駆動電圧信号Ｃを印加した場合、その圧電素子２０１の端子間電圧は、最大値（Ｖ１−Ｖｂ２）と最小値（Ｖ０−Ｖｂ２）との間で変動する。この圧電素子２０１の端子間電圧の変動により、圧電素子の変位量はＤ１とＤ３との間で変化する。圧電素子の変位量が変わると、液滴吐出ヘッドの加圧液室に圧力変化を発生し、その圧力変化に応じたインク吐出特性（インク吐出速度やインク滴量等）で、その加圧液室に連通したノズル孔からインクを吐出させる。
【００３６】
一方、圧電素子２０１に対して非駆動電圧信号Ｂを印加した場合、その圧電素子２０１の端子間電圧は、最大値（Ｖ１−Ｖｂ１）と最小値（Ｖ０−Ｖｂ１）との間で変動する。この圧電素子２０１の端子間電圧の変動により、圧電素子の変位量はＤ０とＤ２との間で変化する。非駆動電圧信号Ｂは、その最大値と最小値との差（振幅値）は駆動電圧信号Ｃと同じであるが、その最大値と最小値の値が駆動電圧信号Ｃとは異なっている。そのため、図５に示すように端子間電圧と変位量との関係が非線形の関係である圧電素子２０１であれば、圧電素子２０１の変位量の変化幅が異なるものとなる。より詳しくは、駆動電圧信号Ｃを印加した場合における圧電素子２０１の変位量の変化幅（Ｄ１−Ｄ３）よりも、非駆動電圧信号Ｂを印加した場合における圧電素子２０１の変位量の変化幅（Ｄ０−Ｄ２）の方が小さなものとなる。
【００３７】
本実施形態において、非駆動用の電圧である第１バイアス電圧Ｖｂ１は、圧電素子２０１の変位量の変化幅（Ｄ０−Ｄ２）が、ノズル孔からインクを吐出するには不足するように、すなわち、ノズル孔からインクを吐出されない程度の変化幅となるように、設定されている。よって、アナログスイッチＳＷ１をオン状態とし、かつ、アナログスイッチＳＷ２をオフ状態とした圧電素子２０１については、圧電素子２０１の変位量の変化幅が不足して、その加圧液室内にノズル孔からインクを吐出できる程度の圧力変化を生じさせることができず、当該ノズル孔からはインクが吐出されない。
【００３８】
一方、第２バイアス電圧Ｖｂ２は、圧電素子２０１の変位量の変化幅（Ｄ１−Ｄ３）がノズル孔からインクを吐出するのに十分な変化幅となるように設定されている。よって、アナログスイッチＳＷ１をオフ状態とし、かつ、アナログスイッチＳＷ２をオン状態とした圧電素子２０１については、その加圧液室内にノズル孔からインクを吐出できる程度の圧力変化を生じさせることができ、当該ノズル孔からインクを吐出することができる。
【００３９】
図６は、インクを吐出していないノズル孔から次のインク吐出期間にインクを吐出させるように切り替えるときのバイアス電圧切り替えタイミングを示すグラフである。
予め決められたインク吐出タイミングが到来するたびに、インク吐出期間Ｆにおいて、当該タイミング時にインクを吐出させるノズル孔に対応した駆動対象の圧電素子２０１には第２バイアス電圧Ｖｂ２を印加し、当該タイミング時にインクを吐出させないノズル孔に対応した非駆動対象の圧電素子２０１には第１バイアス電圧Ｖｂ１を印加するように、アナログスイッチＳＷ１，ＳＷ２をオン／オフ制御する。インク吐出期間Ｆが終了し、次のインク吐出期間Ｆになるまでの間には、波形電圧の電圧値が変動しない非インク吐出期間が存在する。本実施形態におけるバイアス電圧の切り替えは、この非インク吐出期間内に行われる。これにより、バイアス電圧の切り替えによるインク吐出特性への影響を小さく抑えることができる。
【００４０】
本実施形態においては、非駆動用の電圧である第１バイアス電圧Ｖｂ１が、加圧液室内にノズル孔からインクを吐出させることができない程度の圧力変化しか生じない電圧値に設定されているが、このような電圧値が取り得る範囲内であっても、できる限り駆動用の固定電圧である第２バイアス電圧Ｖｂ２の電圧値に近い値に設定されている。このような設定により、バイアス電圧の切り替え時における圧電素子２０１の端子間電圧の変動を抑制できる。非インク吐出期間内にバイアス電圧を切り替える場合でも、その切り替え時における圧電素子２０１の端子間電圧の変動は、次のインク吐出期間Ｆのときの加圧液室内の圧力変化に影響を及ぼすことがある。この影響は、バイアス電圧の切り替え時における圧電素子２０１の端子間電圧の変動が大きいほど大きなものとなるので、上述した設定により、次のインク吐出期間Ｆのときの加圧液室内の圧力変化に及ぼす影響を小さく抑えることができる。その結果、次のインク吐出期間Ｆのときにインクを吐出する場合にはそのインク吐出特性が変化することを抑制でき、また、次のインク吐出期間Ｆのときにインクを吐出しない場合にはノズル孔からインクが漏れ出てしまう等の不具合を抑制できる。なお、このような第１バイアス電圧Ｖｂ１の設定値は、予め実験等により決定することができる。
【００４１】
〔変形例〕
次に、本実施形態における液滴吐出ヘッドの駆動回路の一変形例について説明する。
図７は、本変形例における駆動回路の一例を示す模式図である。
本実施形態では、非駆動用の電圧である第１バイアス電圧Ｖｂ１ができる限り駆動用の固定電圧である第２バイアス電圧Ｖｂ２の電圧値に近い値に設定されているが、この場合でも、次のインク吐出期間Ｆのときの加圧液室内の圧力変化に及ぼす影響を十分に抑制できない場合もある。
【００４２】
そこで、本変形例では、図７に示すように、第２バイアス電圧電源２０５と各圧電素子２０１の固定電圧電極との間を、互いに並列接続された２つのアナログスイッチＳＷ２−１，ＳＷ２−２によって接続している。そして、本変形例のバイアス電圧選択制御回路２０６は、圧電素子２０１の固定電圧電極に印加する固定電圧を非駆動用の第１バイアス電圧Ｖｂ１から駆動用の第２バイアス電圧Ｖｂ２へ切り替えるとき、アナログスイッチＳＷ１−１，ＳＷ１−２をいずれもオフの状態とした上で、最初はアナログスイッチＳＷ２−１をオン状態にし、圧電素子端子間電圧が安定したら続いてアナログスイッチＳＷ２−２をオンにする。
【００４３】
ここで、第２バイアス電圧Ｖｂ２を印加するための２つのアナログスイッチＳＷ２−１，ＳＷ２−２の両方をオン状態にしたときの合成抵抗は、図３に示した駆動回路における１つのアナログスイッチＳＷ２のオン状態時の抵抗と同等になるように設定されている。そして、本変形例においてアナログスイッチＳＷ２−１のみをオン状態にしたときには、図３に示した駆動回路における１つのアナログスイッチＳＷ２のオン状態時の抵抗よりも大きくなる。このような構成により、インク吐出期間におけるアナログスイッチのオン状態での抵抗値は、図３に示した駆動回路における１つのアナログスイッチＳＷ２のオン状態時の抵抗値と同等のまま、バイアス電圧の切り替えの際における圧電素子２０１の充電時の時定数を延ばして、図８中符号Ｅに示すように、圧電素子電極間電圧をなだらかに変化させることができる。これにより、非インク吐出期間Ｇでのバイアス電圧切り替え時に加圧液室内の急激な圧力変化が抑制され、次のインク吐出期間Ｆのときの加圧液室内の圧力変化に及ぼす影響が抑制される結果、所望のインク吐出特性でインクを吐出することができる。
【００４４】
また、本変形例では、図７に示すように、第１バイアス電圧電源２０４と各圧電素子２０１の固定電圧電極との間についても、互いに並列接続された２つのアナログスイッチＳＷ１−１，ＳＷ１−２によって接続している。また、本変形例のバイアス電圧選択制御回路２０６は、圧電素子２０１の固定電圧電極に印加する固定電圧を駆動用の第２バイアス電圧Ｖｂ２から駆動用の第１バイアス電圧Ｖｂ１へ切り替えるとき、アナログスイッチＳＷ２−１，ＳＷ２−２をいずれもオフの状態とした上で、最初はアナログスイッチＳＷ１−１をオン状態にし、圧電素子端子間電圧が安定したら続いてアナログスイッチＳＷ１−２をオンにする。このときも、非インク吐出期間Ｇでのバイアス電圧切り替え時に加圧液室内の急激な圧力変化が抑制され、次のインク吐出期間Ｆのときの加圧液室内の圧力変化に及ぼす影響を抑制される結果、ノズル孔からインクを漏れ出る等の不具合を抑制できる。
【００４５】
本変形例における２つのアナログスイッチＳＷ１−１，ＳＷ１−２の合成抵抗も、２つのアナログスイッチＳＷ２−１，ＳＷ２−２の合成抵抗も、図３に示した駆動回路における１つのアナログスイッチＳＷ１，ＳＷ２の抵抗と同等であるため、集積化した場合のチップ面積の増加はない。
【００４６】
なお、本実施形態においては、駆動波形生成回路２０２がすべての圧電素子２０１の駆動電圧電極に常時接続された構成であるが、一部の圧電素子２０１については従来の駆動回路のようにアナログスイッチＳＷ３を介して接続し、アナログスイッチＳＷ３のオン／オフ制御によって波形電圧を選択的に印加するように構成してもよい。
【００４７】
以上に説明したものは一例であり、本発明は、次の態様毎に特有の効果を奏する。
（態様Ａ）
インク滴等の液滴を吐出する複数のノズル孔と、各ノズル孔が連通する複数の加圧液室と、駆動電圧信号が印加されることで、対応する加圧液室内にノズル孔から液滴を吐出させる圧力変化を生じさせる圧電素子２０１等の複数の圧電変換部材と、液滴を吐出させるノズル孔に対応した駆動対象の圧電変換部材に対し、当該圧電変換部材における第１電極（駆動電圧電極）に所定の駆動波形をもつ波形電圧を供給するとともに、当該圧電変換部材における第２電極（固定電圧電極）に一定の電圧値である第２バイアス電圧Ｖｂ２等の駆動用の固定電圧を供給することで、当該駆動対象の圧電変換部材に前記駆動電圧信号を印加する駆動波形生成回路２０２、第２バイアス電圧電源２０５、アナログスイッチＳＷ２，ＳＷ２−１，ＳＷ２−２等の駆動電圧信号印加手段とを有する液滴吐出装置において、前記駆動電圧信号印加手段は、液滴を吐出させないノズル孔に対応した非駆動対象の圧電変換部材のうちの少なくとも１つの非駆動対象の圧電変換部材に対し、前記第１電極に前記波形電圧を供給するとともに、前記第２電極には、対応する加圧液室内にノズル孔から液滴を吐出させる圧力変化を生じさせない第１バイアス電圧Ｖｂ１等の非駆動用の電圧を供給することで、当該少なくとも１つの非駆動対象の圧電変換部材に非駆動電圧信号を印加することを特徴とする。
本態様によれば、液滴を吐出させないノズル孔に対応した非駆動対象の圧電変換部材のうちの少なくとも１つの非駆動対象の圧電変換部材にも波形電圧が供給される。よって、駆動電圧信号印加手段からの波形電圧を伝送する波形電圧伝送部材を流れる電流量が駆動対象の圧電変換部材の数の違いによって変動する範囲を、非駆動対象の圧電変換部材のいずれにも波形電圧を供給しない場合よりも、狭くすることができる。その結果、波形電圧伝送部材によって伝送される波形電圧の電圧値変化によって生じる電流変化率（ｄｉ／ｄｔ）の変動範囲も狭くすることができる。したがって、駆動対象の圧電変換部材の数に応じた波形電圧の歪みの違いが小さくなるので、駆動対象の圧電変換部材の数の違いによる液滴吐出特性の変化を抑制できる。
【００４８】
（態様Ｂ）
前記態様Ａにおいて、前記非駆動用の電圧は、前記駆動用の固定電圧とは電圧値が異なる固定電圧であることを特徴とする。
本態様によれば、比較的簡易な構成で、当該少なくとも１つの非駆動対象の圧電変換部材の他方の電極に対して非駆動用の電圧を供給することができる。
【００４９】
（態様Ｃ）
前記態様Ｂにおいて、前記駆動電圧信号印加手段は、液滴吐出タイミングの間の非インク吐出期間Ｇ等の非液滴吐出期間に、前記圧電変換部材の前記第２電極に印加される電圧を当該非駆動用の固定電圧から前記駆動用の固定電圧へ切り替えを行うものであり、前記非駆動用の固定電圧は、対応する加圧液室内にノズル孔から液滴を吐出させる圧力変化を生じさせない電圧範囲内で前記駆動用の固定電圧に近い値に設定されていることを特徴とする。
本態様によれば、非駆動用の固定電圧から駆動用の固定電圧へ切り替えを行ったときの電圧変化が次回の液滴吐出タイミングに吐出される液滴の吐出特性に与える影響を抑制することができる。
【００５０】
（態様Ｄ）
前記態様Ａ〜Ｃのいずれかの態様において、前記駆動電圧信号印加手段は、前記駆動用の固定電圧を発生させる第２バイアス電圧電源２０５等の駆動用電圧源と前記非駆動用の電圧を発生させる第１バイアス電圧電源２０４等の非駆動用電圧源を、前記複数の圧電変換部材それぞれの第２電極に対してアナログスイッチＳＷ１，ＳＷ２，ＳＷ１−１，ＳＷ１−２，ＳＷ２−１，ＳＷ２−２等のスイッチング素子を介して接続し、各スイッチング素子を制御して、前記駆動対象の圧電変換部材には該駆動用電圧源からの駆動用の固定電圧を供給し、前記少なくとも１つの非駆動対象の圧電変換部材には該非駆動用電圧源からの非駆動用の電圧を供給することを特徴とする。
本態様によれば、圧電変換部材の第２電極に印加する電圧の切り替えを簡易な構成で実現することができる。
【００５１】
（態様Ｅ）
前記態様Ｄにおいて、前記駆動電圧信号印加手段は、前記駆動用電圧源と前記複数の圧電変換部材それぞれの第２電極との間を、互いに並列接続されたアナログスイッチＳＷ２−１，ＳＷ２−２等の複数のスイッチング素子によって接続し、前記圧電変換部材の前記第２電極に印加される電圧を前記非駆動用の電圧から前記駆動用の固定電圧へ切り替えるときは、当該圧電変換部材における該複数のスイッチング素子を順次オンにすることを特徴とする。
本態様によれば、非駆動用の固定電圧から駆動用の固定電圧へ切り替えを行ったときの電圧変化が次回の液滴吐出タイミングに吐出される液滴の吐出特性に与える影響を抑制することができる。
【００５２】
（態様Ｆ）
液滴吐出装置から記録材へ液滴を吐出することで、該記録材に画像を形成するインクジェット記録装置１００等の画像形成装置において、前記液滴吐出装置として、前記態様Ａ〜Ｅのいずれかの態様に係る液滴吐出装置を用いることを特徴とする。
本態様によれば、発生する波形歪みの違いが狭くなるので、その歪みがなくなるように予め歪ませた波形電圧を駆動波形生成回路２０２に生成させるといった対応や、その歪みが生じる波形電圧によるインク吐出特性を前提として所望の画像品質を得るための対応などによって、高い画像品質を安定して得ることが可能となる。
【００５３】
（態様Ｇ）
液滴を吐出する複数のノズル孔と、各ノズル孔が連通する複数の加圧液室と、駆動電圧信号が印加されることで、対応する加圧液室内にノズル孔から液滴を吐出させる圧力変化を生じさせる複数の圧電変換部材と、液滴を吐出させるノズル孔に対応した駆動対象の圧電変換部材に対し、当該圧電変換部材における第１電極に所定の駆動波形をもつ波形電圧を供給するとともに、当該圧電変換部材における第２電極に一定の電圧値である駆動用の固定電圧を供給することで、当該駆動対象の圧電変換部材に前記駆動電圧信号を印加する駆動電圧信号印加手段とを有する液滴吐出装置の駆動制御方法において、液滴を吐出させないノズル孔に対応した非駆動対象の圧電変換部材のうちの少なくとも１つの非駆動対象の圧電変換部材に対し、前記第１電極に前記波形電圧を供給するとともに、前記第２電極には、対応する加圧液室内にノズル孔から液滴を吐出させる圧力変化を生じさせない非駆動用の電圧を供給することで、当該少なくとも１つの非駆動対象の圧電変換部材に非駆動電圧信号を印加することを特徴とする。
本態様によれば、駆動対象の圧電変換部材の数に応じた波形電圧の歪みの違いが小さくなるので、駆動対象の圧電変換部材の数の違いによる液滴吐出特性の変化を抑制できる。
【符号の説明】
【００５４】
１  液滴吐出ヘッド
３０  記録材
１００  インクジェット記録装置
１０１  キャリッジ
２０１  圧電素子
２０２  駆動波形生成回路
２０３  波形選択制御回路
２０４  第１バイアス電圧電源
２０５  第２バイアス電圧電源
２０６  バイアス電圧選択制御回路
２０７  バイアス電圧電源
【先行技術文献】
【特許文献】
【００５５】
【特許文献１】特開２０１０−３０１８２号公報
【図１】
2015116673.tif 000003
【図２】
2015116673.tif 000004
【図３】
2015116673.tif 000005
【図４】
2015116673.tif 000006
【図５】
2015116673.tif 000007
【図６】
2015116673.tif 000008
【図７】
2015116673.tif 000009
【図８】
2015116673.tif 000010
【図９】
2015116673.tif 000011
【図１０】
2015116673.tif 000012
【図１１】
2015116673.tif 000013